(57)【要約】【課題】ネットワークを介して接続されたテレビジョン受信装置の視聴履歴に基づいて、精度よく利用者の特性に適合した放送番組を選択する。【解決手段】番組情報を記憶する番組情報記憶部１５と、映像音声信号を記録する映像音声信号記録部１３と、録画予約情報を記憶する録画予約情報記憶部１４と、ネットワークアドレスを記憶する装置情報記憶部２０と、番組嗜好情報を記憶する番組嗜好情報記憶部１６と、テレビジョン受信装置２，３から受信した視聴履歴に基づいてテレビジョン受信装置２，３毎に番組嗜好度を生成する番組嗜好情報生成手段１７ａと、番組嗜好度が最も高い放送番組を録画予約するための録画予約情報を生成する録画予約情報生成手段１７ｂと、録画予約情報に基づいて録画する録画予約制御手段１７ｂと、映像音声信号のリストの送信を要求された場合に、番組嗜好度の高い番組情報を抽出する番組選択手段１２ｂとを備える。【選択図】    図１
2009212814.tif 000002
【特許請求の範囲】
【請求項１】
映像音声信号と番組情報とからなる放送番組を受信し、該映像音声信号を、ネットワークを介して接続される１つ又は複数のテレビジョン受信装置により再生させる番組選択装置であって、
前記受信した番組情報を記憶する番組情報記憶手段と、
前記受信した映像音声信号を記録する映像音声信号記録手段と、
前記１つ又は複数のテレビジョン受信装置を識別するためのネットワークアドレスを記憶する装置情報記憶手段と、
前記装置情報記憶手段に記憶されたネットワークアドレスに対応する前記１つ又は複数のテレビジョン受信装置から受信した、前記１つ又は複数のテレビジョン受信装置により再生された映像音声信号の視聴履歴情報に基づいて、前記１つ又は複数のテレビジョン受信装置毎に、将来放送されるべき放送番組、及び現在放送中の放送番組についての利用者の嗜好度合いである番組嗜好度を計算し、この計算した番組嗜好度のうち所定の番組嗜好度を対応する前記ネットワークアドレスに関連づけた番組嗜好情報を生成する番組嗜好情報生成手段と、
前記番組嗜好情報生成手段により前記番組嗜好情報が生成される毎に、該番組嗜好情報を記憶する番組嗜好情報記憶手段と、
前記記憶された番組嗜好情報に含まれる前記番組嗜好度が最も高い放送番組の映像音声信号を前記映像音声信号記録手段に記録させるための録画予約情報を生成する録画予約情報生成手段と、
前記生成された録画予約情報を記憶する録画予約情報記憶手段と、
前記記憶された録画予約情報に基づいて、前記映像音声信号記録手段に前記映像音声信号を記録させる録画予約制御手段と、
前記１つ又は複数のテレビジョン受信装置のいずれか１つから、前記映像音声信号記録手段に記録された映像音声信号のリストの送信を要求された場合に、前記送信を要求したテレビジョン受信装置の前記ネットワークアドレスに対応する前記番組嗜好情報を前記番組嗜好情報記憶手段から抽出し、この抽出された番組嗜好情報に対応する前記番組情報を前記番組情報記憶手段から抽出する番組選択手段と、
を備えたことを特徴とする番組選択装置。
【請求項２】
前記録画予約情報生成手段は、
前記番組嗜好情報生成手段により生成された番組嗜好情報に含まれる前記番組嗜好度に対応する放送番組のうち、前記録画予約情報記憶手段に記憶された録画予約情報に基づいて記録される前記映像音声信号に対応する放送番組と放送時間が重複していない放送番組であり、かつ前記生成された番組嗜好情報に含まれる前記番組嗜好度が最も高い放送番組の映像音声信号を前記映像音声信号記録手段に記録させるための前記録画予約情報を生成するようにした
ことを特徴とする請求項１記載の番組選択装置。
【請求項３】
映像音声信号と番組情報とからなる放送番組を受信し、該映像音声信号を、ネットワークを介して接続される１つ又は複数のテレビジョン受信装置により再生させる番組選択装置であり、前記受信した番組情報を記憶する番組情報記憶手段と、前記受信した映像音声信号を記録する映像音声信号記録手段と、前記１つ又は複数のテレビジョン受信装置を識別するためのネットワークアドレスを記憶する装置情報記憶手段とを備えた前記番組選択装置に実行させるための番組選択プログラムであって、
前記装置情報記憶手段に記憶されたネットワークアドレスに対応する前記１つ又は複数のテレビジョン受信装置から受信した、前記１つ又は複数のテレビジョン受信装置により再生された映像音声信号の視聴履歴情報に基づいて、前記１つ又は複数のテレビジョン受信装置毎に、将来放送されるべき放送番組、及び現在放送中の放送番組についての利用者の嗜好度合いである番組嗜好度を計算し、この計算した番組嗜好度のうち所定の番組嗜好度を対応する前記ネットワークアドレスに関連づけた番組嗜好情報を生成する番組嗜好情報生成ステップと、
前記番組嗜好情報生成ステップにより前記番組嗜好情報が生成される毎に、該番組嗜好情報を番組嗜好情報記憶手段に記憶させる番組嗜好情報記憶ステップと、
前記記憶された番組嗜好情報に含まれる前記番組嗜好度が最も高い放送番組の映像音声信号を前記映像音声信号記録手段に記録させるための録画予約情報を生成する録画予約情報生成ステップと、
前記生成された録画予約情報を録画予約情報記憶手段に記憶させる録画予約情報記憶ステップと、
前記記憶された録画予約情報に基づいて、前記映像音声信号記録手段に前記映像音声信号を記録させる録画予約制御ステップと、
前記１つ又は複数のテレビジョン受信装置のいずれか１つから、前記映像音声信号記録手段に記録された映像音声信号のリストの送信を要求された場合に、前記送信を要求したテレビジョン受信装置の前記ネットワークアドレスに対応する前記番組嗜好情報を前記番組嗜好情報記憶手段から抽出し、この抽出された番組嗜好情報に対応する前記番組情報を前記番組情報記憶手段から抽出する番組選択ステップと、
を前記番組選択装置に実行させるための番組選択プログラム。
【請求項４】
前記録画予約情報生成ステップは、
前記番組嗜好情報生成ステップにより生成された番組嗜好情報に含まれる前記番組嗜好度に対応する放送番組のうち、前記録画予約情報記憶手段に記憶された録画予約情報に基づいて記録される前記映像音声信号に対応する放送番組と放送時間が重複していない放送番組であり、かつ前記生成された番組嗜好情報に含まれる前記番組嗜好度が最も高い放送番組の映像音声信号を前記映像音声信号記録手段に記録させるための前記録画予約情報を生成するようにした
ことを特徴とする請求項３記載の番組選択プログラム。
【請求項５】
映像音声信号と番組情報とからなる放送番組を受信し、該映像音声信号を、ネットワークを介して接続される１つ又は複数のテレビジョン受信装置により再生させる番組選択装置であり、前記受信した番組情報を記憶する番組情報記憶手段と、前記受信した映像音声信号を記録する映像音声信号記録手段と、前記１つ又は複数のテレビジョン受信装置を識別するためのネットワークアドレスを記憶する装置情報記憶手段とを備えた前記番組選択装置における番組選択方法であって、
前記装置情報記憶手段に記憶されたネットワークアドレスに対応する前記１つ又は複数のテレビジョン受信装置から受信した、前記１つ又は複数のテレビジョン受信装置により再生された映像音声信号の視聴履歴情報に基づいて、前記１つ又は複数のテレビジョン受信装置毎に、将来放送されるべき放送番組、及び現在放送中の放送番組についての利用者の嗜好度合いである番組嗜好度を計算し、この計算した番組嗜好度のうち所定の番組嗜好度を対応する前記ネットワークアドレスに関連づけた番組嗜好情報を生成する番組嗜好情報生成ステップと、
前記番組嗜好情報生成ステップにより前記番組嗜好情報が生成される毎に、該番組嗜好情報を番組嗜好情報記憶手段に記憶させる番組嗜好情報記憶ステップと、
前記記憶された番組嗜好情報に含まれる前記番組嗜好度が最も高い放送番組の映像音声信号を前記映像音声信号記録手段に記録させるための録画予約情報を生成する録画予約情報生成ステップと、
前記生成された録画予約情報を録画予約情報記憶手段に記憶させる録画予約情報記憶ステップと、
前記記憶された録画予約情報に基づいて、前記映像音声信号記録手段に前記映像音声信号を記録させる録画予約制御ステップと、
前記１つ又は複数のテレビジョン受信装置のいずれか１つから、前記映像音声信号記録手段に記録された映像音声信号のリストの送信を要求された場合に、前記送信を要求したテレビジョン受信装置の前記ネットワークアドレスに対応する前記番組嗜好情報を前記番組嗜好情報記憶手段から抽出し、この抽出された番組嗜好情報に対応する前記番組情報を前記番組情報記憶手段から抽出する番組選択ステップと、
を有したことを特徴とする番組選択方法。
【請求項６】
前記録画予約情報生成ステップは、
前記番組嗜好情報生成ステップにより生成された番組嗜好情報に含まれる前記番組嗜好度に対応する放送番組のうち、前記録画予約情報記憶手段に記憶された録画予約情報に基づいて記録される前記映像音声信号に対応する放送番組と放送時間が重複していない放送番組であり、かつ前記生成された番組嗜好情報に含まれる前記番組嗜好度が最も高い放送番組の映像音声信号を前記映像音声信号記録手段に記録させるための前記録画予約情報を生成するようにした
ことを特徴とする請求項５記載の番組選択方法。
【発明の詳細な説明】
【技術分野】
【０００１】
本発明は、映像音声信号と番組情報とからなる放送番組を受信し、該映像音声信号を、ネットワークを介して接続される１つ又は複数のテレビジョン受信装置により再生させると共に、テレビジョン受信装置により再生された放送番組の視聴履歴に基づいて、視聴者の特性に応じた放送番組を選択する番組選択装置、番組選択プログラム、及び番組選択方法に関する。
【背景技術】
【０００２】
近年、衛星放送の開始や、テレビジョン放送のデジタル化に伴い、利用者は多種多様な放送番組から所望の放送番組を選択して視聴できるようになった。しかしながら、その反面、放送番組の数が膨大であるので、利用者はどのような放送番組が放送されているのかを網羅的に把握することが困難となり、自分の嗜好に合う放送番組を選択することが困難となっていた。また、利用者が自分の嗜好に合った放送番組が放送されている事に気付かず見逃してしまう可能性が高くなっていた。
【０００３】
そこで、放送局側では、膨大な放送番組の中から利用者の嗜好に合った放送番組の選択補助を目的として、放送番組の「タイトル」、「放送開始日時」、「チャンネル」、「ジャンル」、「内容説明」、「出演者リスト」等の項目を含む番組情報を映像音声信号に多重化して送信する技術を実用化し運用している。
【０００４】
そして、この番組情報を利用して、例えば電子番組表等を構成し画面上に提示することで、利用者による放送番組の選択の補助を行うテレビジョン受信機も普及してきている。
【０００５】
また、近年、ハードディスク等の記憶装置を内蔵し、長時間の放送番組を録画することが可能な録画機や、録画機能を有するテレビジョン受信機（以下、テレビジョン録画機という）が普及してきている。このようなテレビジョン録画機には、映像音声信号と共に番組情報を記録し、この記録した映像音声信号を再生する場合に番組情報を画面上に表示するものもある。
【０００６】
さらに、利用者による放送番組の視聴履歴と番組情報とから利用者の嗜好を推定したり、利用者が嗜好に関する情報を入力することによって、放送予定の放送番組について、利用者の特性に適合する度合いを示す嗜好度を算出し、利用者の嗜好に適合する放送番組を決定し、決定した放送番組の番組情報を表示したり、決定した放送番組の映像音声信号を記録したりするテレビジョン録画機もある。
【０００７】
例えば、特許文献１には、視聴履歴と番組情報とから利用者の嗜好を学習し、学習の結果を用いて将来放送予定の放送番組の中から視聴可能性のある放送番組を検索（選択）し、自動的に録画予約する自動録画予約方法が提案されている。
【０００８】
また、近年、インターネットの普及に伴い、ネットワークに接続する機能を有する家電製品が普及し始めている。例えば、テレビジョン受信機、及びテレビジョン録画機がネットワークを介して接続された構成のネットワークシステムにおいて、テレビジョン受信機はネットワークを介してテレビジョン録画機に記録された放送番組を受信し、この受信した放送番組を再生するものもある。
【０００９】
このようなネットワークシステムにおいて、利用者は、テレビジョン録画機に記録された放送番組をテレビジョン録画機で視聴することができるだけでなく、テレビジョン録画機に録画した放送番組をテレビジョン受信機で視聴することもできる。
【特許文献１】特許第３６８２１６２号公報
【発明の開示】
【発明が解決しようとする課題】
【００１０】
しかしながら、上記のようなネットワークシステムを構成するテレビジョン録画機に特許文献１に記載の自動録画予約方法を適用した場合、テレビジョン録画機は、テレビジョン録画機の中に記憶された視聴履歴と番組情報とから利用者の嗜好を学習し、学習の結果を用いて将来放送予定の放送番組の中から視聴可能性のある放送番組を選択するので、精度よく利用者の特性に適合した放送番組を選択することができなかった。
【００１１】
本発明は、上記課題に鑑みてなされたものであり、ネットワークを介して接続されたテレビジョン受信機の視聴履歴に基づいて、精度よく利用者の特性に適合した放送番組を選択する番組選択装置、番組選択プログラム、及び番組選択方法を提供することにある。
【課題を解決するための手段】
【００１２】
上記目的を達成するため、本発明に係る番組選択装置の第１の特徴は、映像音声信号と番組情報とからなる放送番組を受信し、該映像音声信号を、ネットワーク（４）を介して接続される１つ又は複数のテレビジョン受信装置（２，３）により再生させる番組選択装置（１）であって、前記受信した番組情報を記憶する番組情報記憶手段（１５）と、前記受信した映像音声信号を記録する映像音声信号記録手段（１３）と、前記１つ又は複数のテレビジョン受信装置（２，３）を識別するためのネットワークアドレスを記憶する装置情報記憶手段（２０）と、前記装置情報記憶手段（２０）に記憶されたネットワークアドレスに対応する前記１つ又は複数のテレビジョン受信装置（２，３）から受信した、前記１つ又は複数のテレビジョン受信装置により再生された映像音声信号の視聴履歴情報に基づいて、前記１つ又は複数のテレビジョン受信装置毎に、将来放送されるべき放送番組、及び現在放送中の放送番組についての利用者の嗜好度合いである番組嗜好度を計算し、この計算した番組嗜好度のうち所定の番組嗜好度を対応する前記ネットワークアドレスに関連づけた番組嗜好情報を生成する番組嗜好情報生成手段（１７ａ）と、前記番組嗜好情報生成手段（１７ａ）により前記番組嗜好情報が生成される毎に、該番組嗜好情報を記憶する番組嗜好情報記憶手段（１６）と、前記記憶された番組嗜好情報に含まれる前記番組嗜好度が最も高い放送番組の映像音声信号を前記映像音声信号記録手段（１３）に記録させるための録画予約情報を生成する録画予約情報生成手段（１７ｂ）と、前記生成された録画予約情報を記憶する録画予約情報記憶手段（１４）と、前記記憶された録画予約情報に基づいて、前記映像音声信号記録手段（１３）に前記映像音声信号を記録させる録画予約制御手段（１２ａ）と、前記１つ又は複数のテレビジョン受信装置（２，３）のいずれか１つから、前記映像音声信号記録手段（１３）に記録された映像音声信号のリストの送信を要求された場合に、前記送信を要求したテレビジョン受信装置（２，３）の前記ネットワークアドレスに対応する前記番組嗜好情報を前記番組嗜好情報記憶手段（１６）から抽出し、この抽出された番組嗜好情報に対応する前記番組情報を前記番組情報記憶手段（１５）から抽出する番組選択手段（１２ｂ）と、を備えたことにある。
【００１３】
上記目的を達成するため、本発明に係る番組選択装置の第２の特徴は、前記録画予約情報生成手段（１７ｂ）は、前記番組嗜好情報生成手段（１７ａ）により生成された番組嗜好情報に含まれる前記番組嗜好度に対応する放送番組のうち、前記録画予約情報記憶手段（１４）に記憶された録画予約情報に基づいて記録される前記映像音声信号に対応する放送番組と放送時間が重複していない放送番組であり、かつ前記生成された番組嗜好情報に含まれる前記番組嗜好度が最も高い放送番組の映像音声信号を前記映像音声信号記録手段（１３）に記録させるための前記録画予約情報を生成するようにしたことにある。
【００１４】
上記目的を達成するため、本発明に係る番組選択プログラムの第１の特徴は、映像音声信号と番組情報とからなる放送番組を受信し、該映像音声信号を、ネットワークを介して接続される１つ又は複数のテレビジョン受信装置により再生させる番組選択装置（１）であり、前記受信した番組情報を記憶する番組情報記憶手段（１５）と、前記受信した映像音声信号を記録する映像音声信号記録手段（１３）と、前記１つ又は複数のテレビジョン受信装置を識別するためのネットワークアドレスを記憶する装置情報記憶手段（２０）とを備えた前記番組選択装置（１）に実行させるための番組選択プログラムであって、前記装置情報記憶手段（２０）に記憶されたネットワークアドレスに対応する前記１つ又は複数のテレビジョン受信装置（２，３）から受信した、前記１つ又は複数のテレビジョン受信装置により再生された映像音声信号の視聴履歴情報に基づいて、前記１つ又は複数のテレビジョン受信装置毎に、将来放送されるべき放送番組、及び現在放送中の放送番組についての利用者の嗜好度合いである番組嗜好度を計算し、この計算した番組嗜好度のうち所定の番組嗜好度を対応する前記ネットワークアドレスに関連づけた番組嗜好情報を生成する番組嗜好情報生成ステップ（１７ａ）と、前記番組嗜好情報生成ステップ（１７ａ）により前記番組嗜好情報が生成される毎に、該番組嗜好情報を番組嗜好情報記憶手段（１６）に記憶させる番組嗜好情報記憶ステップと、前記記憶された番組嗜好情報に含まれる前記番組嗜好度が最も高い放送番組の映像音声信号を前記映像音声信号記録手段（１３）に記録させるための録画予約情報を生成する録画予約情報生成ステップ（１７ｂ）と、前記生成された録画予約情報を録画予約情報記憶手段に記憶させる録画予約情報記憶ステップ（１４）と、前記記憶された録画予約情報に基づいて、前記映像音声信号記録手段（１３）に前記映像音声信号を記録させる録画予約制御ステップ（１２ａ）と、前記１つ又は複数のテレビジョン受信装置（２，３）のいずれか１つから、前記映像音声信号記録手段（１３）に記録された映像音声信号のリストの送信を要求された場合に、前記送信を要求したテレビジョン受信装置の前記ネットワークアドレスに対応する前記番組嗜好情報を前記番組嗜好情報記憶手段（１６）から抽出し、この抽出された番組嗜好情報に対応する前記番組情報を前記番組情報記憶手段（１５）から抽出する番組選択ステップ（１２ｂ）と、を前記番組選択装置（１）に実行させることにある。
【００１５】
上記目的を達成するため、本発明に係る番組選択プログラムの第２の特徴は、前記録画予約情報生成ステップ（１７ｂ）は、前記番組嗜好情報生成ステップ（１７ａ）により生成された番組嗜好情報に含まれる前記番組嗜好度に対応する放送番組のうち、前記録画予約情報記憶手段（１４）に記憶された録画予約情報に基づいて記録される前記映像音声信号に対応する放送番組と放送時間が重複していない放送番組であり、かつ前記生成された番組嗜好情報に含まれる前記番組嗜好度が最も高い放送番組の映像音声信号を前記映像音声信号記録手段に記録させるための前記録画予約情報を生成するようにしたことにある。
【００１６】
上記目的を達成するため、本発明に係る番組選択方法の第１の特徴は、映像音声信号と番組情報とからなる放送番組を受信し、該映像音声信号を、ネットワーク（４）を介して接続される１つ又は複数のテレビジョン受信装置（２，３）により再生させる番組選択装置（１）であり、前記受信した番組情報を記憶する番組情報記憶手段（１５）と、前記受信した映像音声信号を記録する映像音声信号記録手段（１３）と、前記１つ又は複数のテレビジョン受信装置（２，３）を識別するためのネットワークアドレスを記憶する装置情報記憶手段（２０）とを備えた前記番組選択装置（１）における番組選択方法であって、前記装置情報記憶手段（２０）に記憶されたネットワークアドレスに対応する前記１つ又は複数のテレビジョン受信装置（２，３）から受信した、前記１つ又は複数のテレビジョン受信装置により再生された映像音声信号の視聴履歴情報に基づいて、前記１つ又は複数のテレビジョン受信装置毎に、将来放送されるべき放送番組、及び現在放送中の放送番組についての利用者の嗜好度合いである番組嗜好度を計算し、この計算した番組嗜好度のうち所定の番組嗜好度を対応する前記ネットワークアドレスに関連づけた番組嗜好情報を生成する番組嗜好情報生成ステップ（１７ａ）と、前記番組嗜好情報生成ステップ（１７ａ）により前記番組嗜好情報が生成される毎に、該番組嗜好情報を番組嗜好情報記憶手段（１６）に記憶させる番組嗜好情報記憶ステップと、前記記憶された番組嗜好情報に含まれる前記番組嗜好度が最も高い放送番組の映像音声信号を前記映像音声信号記録手段（１３）に記録させるための録画予約情報を生成する録画予約情報生成ステップ（１７ｂ）と、前記生成された録画予約情報を録画予約情報記憶手段（１４）に記憶させる録画予約情報記憶ステップと、前記記憶された録画予約情報に基づいて、前記映像音声信号記録手段（１３）に前記映像音声信号を記録させる録画予約制御ステップ（１２ａ）と、前記１つ又は複数のテレビジョン受信装置（２，３）のいずれか１つから、前記映像音声信号記録手段（１３）に記録された映像音声信号のリストの送信を要求された場合に、前記送信を要求したテレビジョン受信装置の前記ネットワークアドレスに対応する前記番組嗜好情報を前記番組嗜好情報記憶手段（１６）から抽出し、この抽出された番組嗜好情報に対応する前記番組情報を前記番組情報記憶手段（１５）から抽出する番組選択ステップ（１２ｂ）と、を有したことにある。
【００１７】
上記目的を達成するため、本発明に係る番組選択方法の第２の特徴は、前記録画予約情報生成ステップ（１７ｂ）は、前記番組嗜好情報生成ステップ（１７ａ）により生成された番組嗜好情報に含まれる前記番組嗜好度に対応する放送番組のうち、前記録画予約情報記憶手段（１４）に記憶された録画予約情報に基づいて記録される前記映像音声信号に対応する放送番組と放送時間が重複していない放送番組であり、かつ前記生成された番組嗜好情報に含まれる前記番組嗜好度が最も高い放送番組の映像音声信号を前記映像音声信号記録手段（１３）に記録させるための前記録画予約情報を生成するようにしたことにある。
【発明の効果】
【００１８】
本発明によれば、ネットワークを介して接続されたテレビジョン受信装置の視聴履歴に基づいて、精度よく利用者の特性に適合した放送番組を選択することができる。
【発明を実施するための最良の形態】
【００１９】
以下、本発明を実施するための最良の形態について図面を参照して説明する。
【００２０】
本実施形態では、受信した放送番組の再生、及び録画された放送番組の再生が可能な複数のテレビジョン受信装置とネットワークを介して接続され、テレビジョン受信装置により再生された放送番組の視聴履歴に基づいて、視聴者の特性に応じた放送番組を選択する番組選択装置について説明する。
【００２１】
＜番組選択装置の構成＞
図１は、本実施形態である番組選択装置の構成を示した構成図である。
【００２２】
番組選択装置１は、放送受信部１１と、機器制御部１２と、映像音声信号記録部１３と、録画予約情報記憶部１４と、番組情報記憶部１５と、番組嗜好情報記憶部１６と、装置情報記憶部２０と、嗜好分析部１７と、ネットワーク接続部２１とを備える。
【００２３】
放送受信部１１は、チューナ及び復調分離手段を有し、放送局から送信される地上波や放送衛星を介して送信される衛星放送波等の放送波のうち機器制御部１２より指示されたチャンネルの放送波を受信し、映像音声信号と番組情報に分離して機器制御部１２へ供給する。
【００２４】
ここで、番組情報とは、放送局側により映像音声信号に付加される情報であり、「タイトル」、「チャンネル」、「放送開始時刻」、「放送終了時刻」、「ジャンル」、「内容説明」、及び「出演者リスト」等の情報を含むものである。なお、「放送開始時刻」、「放送終了時刻」には、年月日の情報が含まれていてもよい。
【００２５】
映像音声信号記録部１３は、例えばハードディスク等の記録装置により構成され、後述する機器制御部１２から供給された制御信号に基づき、映像音声信号と、この映像音声信号を一意に識別する番組ＩＤと、自動手動識別子と、記録を開始した時刻である記録開始日時とを関連づけて記録する。ここで、自動手動識別子とは、後述する番組嗜好情報に基づくものか、又は利用者操作に基づくものかを識別する自動手動識別子であり、番組嗜好情報に基づいて記録された映像音声信号には、“自動”が設定され、ネットワークを介して接続されたテレビジョン受信装置から送信された録画予約情報に基づいて記録された映像音声信号、及び入力部１９から供給された操作信号に基づいて記録された映像音声信号には、“手動”が設定される。
【００２６】
そして、映像音声信号記録部１３は、新たに機器制御部１２から供給された映像音声信号を記録する容量が不足する場合には、自動手動識別子が“自動”に設定されている映像音声信号のうち、記録開始日時が古い映像音声信号から順次消去し、新たな映像音声信号を記録する。
【００２７】
また、番組ＩＤとは、放送番組を一意に識別する識別子として生成されるものであり、例えば、番組情報に含まれる「チャンネル」と「放送開始時刻」との組み合わせ等を番組ＩＤとする。
【００２８】
録画予約情報記憶部１４は、例えばハードディスク等の記憶装置により構成され、放送予定である放送番組の映像音声信号を映像音声信号記録手段１３に記録させるために用いられる録画予約情報を記憶する。なお、この録画予約情報には、後述する番組嗜好情報に基づくものか、又は利用者操作に基づくものかを識別する自動手動識別子を含む。番組嗜好情報に基づいて生成された録画予約情報には、この自動手動識別子が、“自動”が設定され、ネットワークを介して接続されたテレビジョン受信装置から送信された録画予約情報には、自動手動識別子が、“手動”が設定される。
【００２９】
番組情報記憶部１５は、例えばハードディスク等の記憶装置により構成され、機器制御部１２から供給された制御信号に従って、放送番組を一意に識別する番組ＩＤと、番組情報とを関連づけて記憶する。
【００３０】
番組嗜好情報記憶部１６は、例えばハードディスク等の記憶装置により構成され、後述する嗜好分析部１７から供給される番組嗜好情報を記憶する。ここで、番組嗜好情報は、番組ＩＤと、放送番組についての利用者の嗜好度合いである番組嗜好度と、後述するネットワーク接続部２１からネットワークを介して接続されたテレビジョン受信装置のネットワークアドレスとを含む。ここで、ネットワークアドレスとは、ＩＰアドレスやＭＡＣアドレス等のネットワーク上でテレビジョン受信装置を一意に識別するための情報である。
【００３１】
装置情報記憶部２０は、番組選択装置１とネットワークを介して接続されたテレビジョン受信装置のネットワークアドレスを記憶する。
【００３２】
嗜好分析部１７は、その機能上、番組嗜好情報生成手段１７ａと、録画予約情報生成手段１７ｂとを備える。
【００３３】
番組嗜好情報生成手段１７ａは、例えば、１日に１回などの予め定められた条件に従って動作し、テレビジョン受信装置毎、及び放送番組毎に利用者の番組嗜好度を算出すると共に、録画予約情報を生成する。具体的には、テレビジョン受信装置から受信したテレビジョン受信装置により再生された放送番組の視聴履歴情報に基づいて、テレビジョン受信装置毎に、番組毎に利用者の番組嗜好度を算出する。そして、この算出した番組嗜好度をネットワークアドレスと関連づけて、番組嗜好情報として番組嗜好情報記憶部１６へ供給する。
【００３４】
録画予約情報生成手段１７ｂは、番組嗜好情報生成手段１７ａにより生成された番組嗜好度に対応する放送番組のうち、録画予約情報記憶部１４に記憶された録画予約情報に基づいて記録される映像音声信号に対応する放送番組と放送時間が重複していない放送番組であり、かつ生成された番組嗜好度が最も高い放送番組の映像音声信号を映像音声信号記録部１３に記録させるための録画予約情報を生成し、この生成された録画予約情報を録画予約情報記憶部１４に記憶させる。
【００３５】
機器制御部１２は、テレビジョン放送の受信、記録、再生等のテレビジョン受信装置としての基本機能を制御する。
【００３６】
また、機器制御部１２は、その機能上、録画予約制御手段１２ａと、番組選択手段１２ｂと、映像音声信号送信手段１２ｃと、ネットワークアドレス管理手段１２ｄを備える。
【００３７】
録画予約制御手段１２ａは、テレビジョン受信装置の１つから、ネットワークを介して録画予約を要求する録画予約要求信号と共に、録画予約情報を受信した場合に、受信した録画予約情報を録画予約情報記憶部１４に記憶させる。また、録画予約制御手段１２ａは、録画予約情報記憶部１４に記憶された録画予約情報に基づき、放送受信部１１から受信する放送番組に対応するチャンネルを設定し、受信した放送番組の番組ＩＤと、自動手動識別子と、映像音声信号とを関連づけて、映像音声信号記録部１３に記録させる。
【００３８】
番組選択手段１２ｂは、テレビジョン受信装置の１つから、ネットワークを介して映像音声信号記録部１３に記録された映像音声信号のリストの送信を要求された場合に、映像音声信号記録部１３、番組情報記憶部１５、及び番組嗜好情報記憶部１６から、それぞれ自動手動識別子、番組情報、及び番組嗜好情報を読み出し、この読み出された自動手動識別子、番組情報、及び番組嗜好情報に基づいて、所定の条件を満たす自動手動識別子と、番組嗜好情報と、番組情報とを抽出する。そして、番組選択手段１２ｂは、この抽出された自動手動識別子と、番組嗜好情報と、番組情報とをネットワーク接続部２１から、ネットワーク４を介して、映像音声信号のリストの送信を要求したテレビジョン受信装置へ送信する。
【００３９】
映像音声信号送信手段１２ｃは、テレビジョン受信装置の１つから、ネットワークを介して映像音声信号記録部１３に記録された映像音声信号の送信を要求された場合に、要求された映像音声信号を映像音声信号記録部１３から読み出し、この読み出された映像音声信号を、ネットワーク４を介して、映像音声信号の送信を要求したテレビジョン受信装置へ送信する。
【００４０】
ネットワークアドレス管理手段１２ｄは、ネットワークに接続されたテレビジョン受信装置のネットワークアドレスを装置情報記憶部２０に記憶させる。例えば、機器制御部１２は、テレビジョン受信装置から操作信号を受信した際に、この操作信号を送信したテレビジョン受信装置のネットワークアドレスを装置情報記憶部２０に記憶させる。また、所定の時間間隔で、機器制御部１２が、ネットワーク全体にブロードキャストでテレビジョン受信装置のネットワークアドレスを問い合わせる信号を送信し、応答したテレビジョン受信装置のネットワークアドレスを装置情報記憶部２０に記憶させるようにしてもよいし、利用者による入力操作により、入力部１９から供給されたネットワークアドレスを装置情報記憶部２０に記憶させるようにしてもよい。
【００４１】
なお、本実施形態である番組選択装置１は、１つの放送受信部１１を備え、同時に１つのチャンネルから放送される放送波のみを受信できる構成としているが、２つ以上の放送受信部１１を備え、同時に２つ以上のチャンネルから放送される放送波を受信できる構成としてもよい。
【００４２】
また、本実施形態である番組選択装置１は、映像音声信号記録部１３、録画予約情報記憶部１４、番組情報記憶部１５、番組嗜好情報記憶部１６と、装置情報記憶部２０とを別々の記憶装置として構成しているが、各々の記憶部を部分的に共用したり、全ての記憶部を１つの記憶装置で共用したりする構成としてもよい。
【００４３】
＜番組選択支援システムの構成＞
図２は、本実施形態である番組選択装置を備えた番組選択支援システムの構成を示した構成図である。
【００４４】
図２に示すように、番組選択支援システム１００は、番組選択装置１と、テレビジョン受信装置２，３とがネットワーク４を介して接続され構成されている。
【００４５】
このような番組選択支援システム１００において、番組選択装置１は、テレビジョン受信装置２，３から送信された視聴履歴情報に基づいて、番組嗜好情報を生成する。そして、番組選択装置１は、テレビジョン受信装置２，３から録画番組リストの送信を要求されると、番組情報、番組嗜好情報、及び自動手動識別子を録画番組リストとしてテレビジョン受信装置２，３に送信し、テレビジョン受信装置２，３によりこの録画リストの１つが選択されると、選択された映像音声信号をテレビジョン受信装置２，３に送信する。
【００４６】
＜テレビジョン受信装置２，３の構成＞
図３は、本実施形態である番組選択装置１にネットワーク４を介して接続されたテレビジョン受信装置２の構成を示した構成図である。なお、テレビジョン受信装置３は、テレビジョン受信装置２と同一の構成を有するので、テレビジョン受信装置３の構成についての説明は省略する。
【００４７】
テレビジョン受信装置２は、放送受信部３１と、機器制御部３２と、視聴履歴情報記憶部３３と、番組情報記憶部３４と、出力部３６と、入力部３７と、ネットワーク接続部３８とを備える。
【００４８】
放送受信部３１は、チューナ及び復調分離手段を有し、放送局から送信される地上波や放送衛星を介して送信される衛星放送波等の放送波のうち機器制御部３２より指示されたチャンネルの放送波を受信し、映像音声信号と番組情報に分離して機器制御部３２へ供給する。
【００４９】
ここで、番組情報とは、放送局側により映像音声信号に付加される情報であり、「タイトル」、「チャンネル」、「放送開始時刻」、「放送終了時刻」、「ジャンル」、「内容説明」、及び「出演者リスト」等の情報を含むものである。なお、「放送開始時刻」、「放送終了時刻」には、年月日の情報が含まれていてもよい。
【００５０】
視聴履歴情報記憶部３３は、例えばハードディスク等の記憶装置により構成され、機器制御部１２から供給された操作信号に基づいて、視聴された放送番組の履歴を視聴履歴情報として記憶する。
【００５１】
番組情報記憶部３４は、例えばハードディスク等の記憶装置により構成され、機器制御部３２から供給された制御信号に従って、放送番組を一意に識別する番組ＩＤと、番組情報とを関連づけて記憶する。
【００５２】
出力部３６は、有機ＥＬ（electroluminescence）ディスプレイや、液晶ディスプレイ等の画像出力装置と、スピーカ等の音声出力装置とを備え、機器制御部３２から供給された出力信号に基づいて、映像や番組情報等を表示すると共に、音声を出力する。
【００５３】
入力部３７は、操作ボタンを備えており、利用者によってこの操作ボタンが押下操作されることによって、操作信号を生成し、生成した操作信号を機器制御部３２へ供給する。
【００５４】
機器制御部３２は、テレビジョン放送の受信、再生等のテレビジョン受信装置としての基本機能を制御する。具体的には、機器制御部３２は、入力部３７から受信した操作信号に基づいて、主電源の投入又は切断を行ったり、放送受信部３１から受信するチャンネルを設定したり、ネットワークを介して番組選択装置１から受信した映像音声信号の再生を開始したりする。
【００５５】
また、機器制御部３２は、その機能上、録画リスト制御手段３２ａと、コンテンツ制御手段３２ｂと、視聴履歴制御手段３２ｃと、録画予約情報送信手段３２ｄとを備える。
【００５６】
録画リスト制御手段３２ａは、入力部３７より録画番組リスト表示を要求する操作信号が供給されると、ネットワーク接続部３８からネットワーク４を介して、番組選択装置１へ録画番組リストの送信を要求する録画番組リスト送信要求信号を送信する。
【００５７】
そして、録画リスト制御手段３２ａは、録画番組リスト送信要求信号の応答として、番組選択装置１から、番組情報と、番組嗜好度と、自動手動識別子とを受信すると、これらに基づいて録画番組リストを生成し、出力部３６へ表示させる。
【００５８】
コンテンツ制御手段３２ｂは、入力部３７から、出力部３６に表示された録画番組リストのうち、１つの録画番組を選択する操作信号が供給されると、ネットワーク接続部３８からネットワーク４を介して、番組選択装置１へ選択された録画番組の映像音声信号の送信を要求するコンテンツ送信要求信号を送信する。
【００５９】
そして、コンテンツ制御手段３２ｂは、コンテンツ送信要求信号の応答として、番組選択装置１から、映像音声信号を受信すると、受信した映像音声信号を出力部３６へ出力させる。
【００６０】
録画予約情報送信手段３２ｄは、入力部３７より録画予約を要求する操作信号が供給されると、ネットワーク接続部３８からネットワーク４を介して、番組選択装置１へ録画予約を要求する録画予約要求信号と共に録画予約情報を送信する。
【００６１】
視聴履歴制御手段３２ｃは、録画予約情報に含まれる番組ＩＤに対応する番組情報を番組情報記憶部３４に記憶された番組情報から抽出し、この抽出された番組情報を含む視聴履歴情報を生成し、この視聴履歴情報を視聴履歴情報記憶部３３へ供給する。
【００６２】
また、視聴履歴制御手段３２ｃは、入力部３７により、チャンネル設定を要求する操作信号が供給されると、操作された時刻、操作されたチャンネル、及び番組情報記憶部３４に記憶された番組情報から、視聴した、即ち出力部３６に出力した放送番組を特定し、この特定された放送番組に関する視聴履歴情報を視聴履歴情報記憶部３３へ供給する。
【００６３】
さらに、視聴履歴制御手段３２ｃは、入力部３７により、映像音声信号の再生を要求する操作信号が供給されると、この再生された映像音声信号に関する視聴履歴情報を視聴履歴情報記憶部３３へ供給する。
【００６４】
そして、視聴履歴制御手段３２ｃは、ネットワーク４を介して、番組選択装置１から視聴履歴情報の送信を要求されると、視聴履歴情報記憶部３３から視聴履歴情報を読み出し、読み出した視聴履歴情報を、ネットワーク接続部２１からネットワーク４を介して番組選択装置１へ送信する。
【００６５】
ネットワーク接続部３８は、ネットワークカードなどの通信インタフェースであり、このネットワーク接続部３８によりネットワーク４に接続することによって、ネットワーク４に接続された番組選択装置１と通信することができる。
【００６６】
＜番組選択装置１の作用＞
本実施形態である番組選択装置１は、主に嗜好処理、及び番組選択処理を行う。よって以下に、これら各処理について詳細に説明する。
【００６７】
≪嗜好分析処理≫
まず、本実施形態である番組選択装置１の嗜好分析部１７における嗜好分析処理の詳細について説明する。
【００６８】
図４は、本実施形態である番組選択装置１において、予め定められた時間間隔で定期的に動作している嗜好分析処理のうちの１周期分の主要な処理を示したフローチャートである。
【００６９】
本実施形態である番組選択装置１の嗜好分析部１７の番組嗜好情報生成手段１７ａは、嗜好分析処理を開始すると、番組情報記憶部１５に記憶された番組情報のうち放送が開始されていない放送番組の番組情報から、１つ又は２つ以上のキーワードを抽出する（ステップＳ１０１）。具体的には、例えば、番組情報に含まれる「ジャンル」及び「出演者」をキーワードとし、「タイトル」及び「内容説明」の文字列データを公知の形態素解析により形態素に分解し、名詞等の予め定められた特定の品詞に属する形態素をキーワードとして抽出する。
【００７０】
次に、番組嗜好情報生成手段１７ａは、抽出した各キーワードの番組出現回数を計算する（ステップＳ１０２）。具体的には、抽出した各キーワードのそれぞれを順次、計算対象キーワードｋとして、この計算対象キーワードｋが含まれている放送番組の数を算出し、この算出結果を番組出現回数とする。なお、この計算対象キーワードｋが１つの番組に重複して含まれる場合でも番組出現回数は１回として算出する。
【００７１】
次に、番組嗜好情報生成手段１７ａは、装置情報記憶部２０からテレビジョン受信装置２，３を一意に識別するネットワークアドレスを読み出し、読み出したネットワークアドレス数を“Ｎ１”とし、カウンタｉに“０”を代入する（ステップＳ１０３）。
【００７２】
そして、番組嗜好情報生成手段１７ａは、カウンタｉの値がＮ１未満であるか否か、即ち、ステップＳ１０３において読み出したネットワークアドレスに対応するテレビジョン受信装置について嗜好分析処理を実行しているか否かを判定する（ステップＳ１０４）。
【００７３】
そして、カウンタｉの値がＮ１以上であると判定した場合、即ち、読み出したネットワークアドレスに対応するテレビジョン受信装置全てにおいて嗜好分析処理を実行していると判定した場合は、処理をステップＳ１２０へ移行する。
【００７４】
一方、カウンタｉの値がＮ未満であると判定した場合、即ち、読み出したネットワークアドレスに対応するテレビジョン受信装置において、まだ嗜好分析処理を実行していないテレビジョン受信装置があると判定した場合、番組嗜好情報生成手段１７ａは、カウンタ値ｉをインクリメントした後（ステップＳ１０５）、このテレビジョン受信装置からネットワーク４を介してｉ番目のネットワークアドレスに対応するテレビジョン受信装置へ、視聴履歴情報の送信を要求する視聴履歴送信要求信号を送信し、その応答として、視聴履歴情報を受信する（ステップＳ１０６）。
【００７５】
番組嗜好情報生成手段１７ａは、ステップＳ１０５において受信した視聴履歴情報に含まれる番組情報から、１つ又は２つ以上のキーワードを抽出する（ステップＳ１０７）。具体的には、例えば、番組情報に含まれる「ジャンル」及び「出演者」をキーワードとし、「タイトル」及び「内容説明」の文字列データを公知の形態素解析により形態素に分解し、名詞等の予め定められた特定の品詞に属する形態素をキーワードとして抽出する。
【００７６】
次に、番組嗜好情報生成手段１７ａは、各計算対象キーワードｋの視聴履歴出現頻度を算出する（ステップＳ１０８）。ここで、視聴履歴出現頻度とは、計算対象キーワードｋが視聴履歴情報に含まれる番組ＩＤにより識別される放送番組の番組情報に含まれる頻度を示す。具体的には、番組嗜好情報生成手段１７ａは、１つの計算対象キーワードｋが、視聴履歴情報に含まれる番組ＩＤにより識別される放送番組ｈの番組情報から抽出した１つ以上のキーワードの中に存在した個数をＮｋ，ｈとし、放送番組ｈから抽出したキーワードの種類数（重複するキーワードは１とする）をＮｈとして、計算対象キーワードｋの放送番組ｈに対する出現頻度Ｆｋ，ｈを数式１を用いて算出する。
【数１】
2009212814.tif 000003
【００７７】
この数式１は、利用者の嗜好の観点から、キーワードの種類数が少ない放送番組に含まれる計算対象キーワードｋほど重要度が高く出現頻度Ｆｋ，ｈの値が大きくなり、キーワードの種類数が多い放送番組に含まれる計算対象キーワードｋほど重要度が低く出現頻度Ｆｋ，ｈの値が小さくなることを示している。さらに、人間の感覚に近いと言われている対数関数を用いている。
【００７８】
次に、番組嗜好情報生成手段１７ａは、視聴履歴情報に含まれる全ての番組ＩＤにより識別される放送番組についても同様に、数式１を用いて計算対象キーワードｋの放送番組毎の出現頻度Ｆｋ，ｈを算出する。そして、番組嗜好情報生成手段１７ａは、この算出した出現頻度Ｆｋ，ｈの総和を視聴履歴出現頻度Ｆｋとして、下記の数式２のとおり算出する。
【数２】
2009212814.tif 000004
【００７９】
そして、番組嗜好情報生成手段１７ａは、計算対象キーワードｋ毎の嗜好度をキーワード嗜好度として算出する（ステップＳ１０９）。具体的には、番組嗜好情報生成手段１７ａは、全番組数をＮ、ステップＳ１０２において算出した計算対象キーワードｋの番組出現回数をＮｋ、ステップＳ１０３において算出した計算対象キーワードｋの視聴履歴出現頻度をＦｋとして、計算対象キーワードｋ毎のキーワード嗜好度Ｐｋを下記の数式３を用いて算出する。
【数３】
2009212814.tif 000005
【００８０】
この数式３は、利用者の嗜好という観点から、多くの放送番組に出現する計算対象キーワードｋほど重要度が低くキーワード嗜好度Ｐｋの値が小さくなり、出現する放送番組の少ない計算対象キーワードｋほど重要度が高くキーワード嗜好度Ｐｋの値が大きくなることを示している。さらに数式３は、人間の感覚に近いと言われている対数関数を用いている。
【００８１】
次に、番組嗜好情報生成手段１７ａは、放送番組毎の嗜好度を番組嗜好度として算出する（ステップＳ１１０）。番組嗜好度の計算の対象は、番組情報記憶部１５に番組情報が記憶されている放送番組のうち、また放送されていない、即ち、放送開始時刻が現在時刻より後である放送番組とする。具体的には、番組嗜好情報生成手段１７ａは、全てのキーワードｋについて、ステップＳ１０２において算出したキーワードｋの放送番組ｈに対する出現頻度出現頻度Ｆｋ，ｈと、ステップＳ１０９において算出したキーワードｋのキーワード嗜好度Ｐｋとの積を算出する。そして、番組嗜好情報生成手段１７ａは、下記の数式４に示すように、算出した全ての出現頻度出現頻度Ｆｋ，ｈとキーワード嗜好度Ｐｋとの積の総和を、計算対象番組ｈの番組嗜好度Ｑｈとして算出する。
【数４】
2009212814.tif 000006
【００８２】
そして、番組嗜好情報生成手段１７ａは、番組情報記憶部１５に番組情報が記憶されている放送番組のうち、また放送されていない、即ち、放送開始時刻が現在時刻より後である全ての放送番組の番組嗜好度を算出し、算出した番組嗜好度の高い方から予め定められた閾値を超えない数の番組嗜好度を選択し、選択された各番組嗜好度に対応する計算対象番組ｈの番組ＩＤとこの計算対象番組ｈの番組嗜好度Ｑｈとテレビジョン受信装置のネットワークアドレスとを関連付けて番組嗜好情報として番組嗜好情報記憶部１６に記憶する。
【００８３】
ここで、この閾値は、低すぎると利用者の嗜好度合いが高い放送番組の映像音声信号を映像音声信号記録部１３に記録できなくなり、高すぎるとテレビジョン受信装置２，３に送信する録画番組リストに利用者の嗜好度合いが低い放送番組の番組情報が含まれることになる。そのため、例えば“１０”といったように、予め提供者等が実測に基づいた適正な値を予め算出し、提供者や利用者等が予め適正な値を設定しておく必要がある。
【００８４】
なお、算出した番組嗜好度の高い方から予め定められた閾値を超えない数の番組嗜好度を選択する代わりに、算出した番組嗜好度が予め定められた閾値を超える番組嗜好度を選択するようにしてもよい。この場合、閾値が高すぎると利用者の嗜好度合いが高い放送番組の映像音声信号を映像音声信号記録部１３に記録できなくなり、低すぎるとテレビジョン受信装置２，３に送信する録画番組リストに利用者の嗜好度合いが低い放送番組の番組情報が含まれることになる。そのため、予め提供者等が実測に基づいた適正な値を予め算出し、提供者や利用者等が予め適正な値を設定しておく必要がある。
【００８５】
このように、ステップＳ１０４〜Ｓ１１０の処理を繰り返し実行することによって、番組嗜好情報生成手段１７ａは、ステップＳ１０２において読み出したネットワークアドレスに対応する全てのテレビジョン受信装置から受信した視聴履歴情報に基づいて、テレビジョン受信装置毎に番組嗜好度を計算できる。
【００８６】
次に、嗜好分析部１７の録画予約情報生成手段１７ｂは、ステップＳ１１０において、番組嗜好情報生成手段１７ａにより番組嗜好情報記憶部１６に記憶された番組嗜好度とそれに対応する番組ＩＤを読み出し、読み出した番組ＩＤと関連付けられた番組情報に含まれる放送時間、すなわち放送開始時刻と放送終了時刻とを番組情報記憶部１５から読み出す（ステップＳ１２０）。
【００８７】
そして、録画予約情報生成手段１７ｂは、ステップＳ１２０において読み出された番組嗜好度とそれに対応する番組ＩＤ及び放送時間を番組嗜好度の高い順に並べ替える（ステップＳ１２１）。
【００８８】
そして、録画予約情報生成手段１７ｂは、ステップＳ１２１で並べ替えた番組嗜好度の数を“Ｎ２”とし、カウンタｊに“０”を代入する（ステップＳ１２２）。
【００８９】
そして、録画予約情報生成手段１７ｂは、カウンタｊの値がＮ２未満であるか否かを判定する（ステップＳ１２３）。
【００９０】
そして、ステップＳ１２３において、カウンタｊの値がＮ２未満ではないと判定した場合、録画予約情報生成手段１７ｂは、嗜好分析処理を終了する。
【００９１】
一方、ステップＳ１２３において、カウンタｊの値がＮ２未満であると判定した場合、録画予約情報生成手段１７ｂは、カウンタｊの値をインクリメントする（ステップＳ１２４）。
【００９２】
次に、録画予約情報生成手段１７ｂは、録画予約情報記憶部１４から録画予約情報を読み出し、この読み出された録画予約情報のうちｊ番目の番組嗜好度に対応する放送番組と放送時間が重複する録画予約情報を選択する（ステップＳ１２５）。ここで、放送時間とは、放送開始時刻から放送終了時刻までの時間帯のことをいい、例えば、放送開始時刻ｔ１から放送終了時刻ｔ２まで放送される放送番組Ａと、放送開始時刻ｔ３から放送終了時刻ｔ４までの間に放送が開始される放送番組Ｂとは、時刻ｔ３が時刻ｔ２より早い時刻であり、かつ時刻ｔ４が時刻ｔ１より遅い時刻である場合に放送時間が重複すると判定する。
【００９３】
そして、録画予約情報生成手段１７ｂは、ｊ番目の番組嗜好度に対応する放送番組を録画可能であるか否かを判定する（ステップＳ１２６）。具体的には、番組選択装置１が１つの放送受信部１１を備える構成である場合、録画予約情報生成手段１７ｂは、ステップＳ１２５で選択されたｊ番目の番組嗜好度に対応する放送番組がまだ録画予約されておらず、さらにステップＳ１２５で選択されたｊ番目の番組嗜好度に対応する放送番組と放送時間が重複する録画予約情報が１つもない場合に、ｊ番目の番組嗜好度に対応する放送番組を録画可能であると判定する。また、番組選択装置１が２つ以上の放送受信部１１を備える構成である場合、録画予約情報生成手段１７ｂは、ステップＳ１２５において選択されたｊ番目の番組嗜好度に対応する放送番組がまだ録画予約されておらず、さらにステップＳ１２５において選択されたｊ番目の番組嗜好度に対応する放送番組と放送時間が重複する録画予約情報のうち、同時に録画される番組数が最も多い時刻を調べ、その同時に録画される番組数が最も多い時刻において録画される番組数が放送受信部１１の数より少ない場合に、ｊ番目の番組嗜好度に対応する放送番組を録画可能であると判定する。
【００９４】
そして、ステップＳ１２６において、ｊ番目の番組嗜好度に対応する放送番組を録画可能ではないと判定した場合、録画予約情報生成手段１７ｂは、処理をステップＳ１２３へ移行する。
【００９５】
一方、ステップＳ１２６において、ｊ番目の番組嗜好度に対応する放送番組を録画可能であると判定した場合、録画予約情報生成手段１７ｂは、ｊ番目の番組嗜好度に対応する放送番組の録画予約情報を録画予約情報記憶部１４に記憶させ（ステップＳ１２７）、処理をステップＳ１２３へ移行する。
【００９６】
このようにして、録画予約情報生成手段１７ｂは、ステップＳ１２３〜Ｓ１２７を繰り返し処理を実行することによって、番組選択装置１が備える放送受信部１１の数に応じて、まだ放送されていない放送番組のうち番組嗜好情報記憶部１６に番組嗜好度が記憶されている放送番組から、既に録画予約されている放送番組も含めて録画可能な放送番組を番組嗜好度の高いものから優先的に選択し、選択された放送番組についての録画予約情報を録画予約情報記憶部１４に記憶させることができる。
【００９７】
≪番組選択処理≫
次に、本実施形態である番組選択装置１における番組選択処理の詳細について説明する。
【００９８】
図５は、番組選択装置１における番組選択処理の処理フローを示したフローチャートである。ここでは、テレビジョン受信装置２からの要求に番組選択装置１が応答する場合について説明するが、番組選択装置１は、テレビジョン受信装置３からの要求に対しても、同様に応答するものとする。
【００９９】
まず、テレビジョン受信装置２の機器制御部３２の録画リスト制御手段３２ａは、入力部３７から供給される操作信号に基づいて、録画番組リストの送信を要求する録画番組リスト要求信号を生成する（ステップＳ２０１）。
【０１００】
次に、録画リスト制御手段３２ａは、ステップＳ２０１において、生成した録画番組リスト要求信号をネットワーク４を介して、番組選択装置１へ送信する（ステップＳ２０２）。
【０１０１】
そして、番組選択装置１の機器制御部１２の番組選択手段１２ｂは、録画番組リスト要求信号を受信すると（ステップＳ２０３）、映像音声信号記録部１３から“手動”に設定されている自動手動識別子と、この自動手動識別子に対応する番組ＩＤを読み出すと共に、番組情報記憶部１５、及び番組嗜好情報記憶部１６からそれぞれ番組情報、及び番組嗜好情報を読み出す（ステップＳ２０４）。
【０１０２】
次に、番組選択手段１２ｂは、所定の条件の番組情報、自動手動識別子、番組嗜好情報を抽出する（ステップＳ２０５）。
【０１０３】
具体的には、まず、番組選択手段１２ｂは、ステップＳ２０４において番組情報記憶部１５から読み出された番組情報の中から、ステップＳ２０４において読み出された番組ＩＤに対応する番組情報を抽出する。
【０１０４】
次に、番組選択手段１２ｂは、ステップＳ２０４において番組嗜好情報記憶部１６から読み出された番組嗜好情報から、ステップＳ２０２において送信したテレビジョン受信装置２に対応するネットワークアドレスと、この抽出されたネットワークアドレスに対応する番組嗜好度と、番組ＩＤとを含む番組嗜好情報を抽出する。さらに、番組選択手段１２ｂは、この抽出した番組嗜好情報から、ステップＳ２０４において読み出された番組ＩＤと一致する番組ＩＤが含まれる番組嗜好情報を削除する。さらに、番組選択手段１２ｂは、映像音声信号記録部１３から、この一致する番組ＩＤが削除された残りの番組嗜好情報に含まれる番組ＩＤに対応する自動手動識別子（ここでは“自動”に設定されている）を抽出する。このとき、対応する自動手動識別子が存在しない番組ＩＤを含む番組嗜好情報を削除する。さらに、対応する自動手動識別子が存在しない番組ＩＤを含む番組嗜好情報が削除された残りの番組嗜好情報に含まれる番組ＩＤに対応する番組情報を抽出する（ステップＳ２０５）。
【０１０５】
次に、番組選択手段１２ｂは、ステップＳ２０４において読み出された番組ＩＤ、この番組ＩＤに対応する番組情報、及び自動手動識別子と、ステップＳ２０５において抽出された番組嗜好情報、及びこの番組情報に対応する番組情報とを、ネットワーク４を介してテレビジョン受信装置２へ送信する（ステップＳ２０６）。
【０１０６】
テレビジョン受信装置２の機器制御部３２の録画リスト制御手段３２ａは、番組情報、自動手動識別子、及び番組嗜好度を受信すると（ステップＳ２０７）、録画番組リスト表示画面を生成し、出力部３６に表示させる（ステップＳ２０８）。
【０１０７】
図６は、テレビジョン受信装置２の出力部３６に表示された録画番組リスト表示画面の一例を示した図である。
【０１０８】
図６に示すように、録画番組リスト表示画面６０１は、番組情報表示エリア６０２と、オススメ度表示エリア６０３にエリア分割されている。
【０１０９】
録画リスト制御手段３２ａは、受信した番組情報に基づいて、番組情報表示エリア６０２に、番組情報６０２ａ〜６０２ｄを出力部３６に表示させる。
【０１１０】
また、録画リスト制御手段３２ａは、受信した自動手動識別子、及び番組嗜好度に基づいて、オススメ度表示エリア６０３にオススメ度６０３ａ〜６０３ｄを出力部３６に表示させる。具体的には、録画リスト制御手段３２ａは、自動手動識別子が“自動”に設定されている場合、受信した番組嗜好度の値に応じて、オススメ度６０３ａ，６０３ｃ，６０３ｄのようなオススメ度を示す。ここでは、オススメ度を星マークの数で表示しているが、星マークに限らず、番組嗜好度の値に応じてその度合いを表示すればよい。
【０１１１】
一方、受信した自動手動識別子が“手動”に設定されている場合、オススメ度６０３ｂのように何も表示しない。
【０１１２】
以上のように、本実施形態である番組選択装置１によれば、ネットワーク４を介して接続されたテレビジョン受信装置２，３の視聴履歴情報に基づいて、精度よく利用者の特性に適合した放送番組を選択することができる。
【０１１３】
また、本実施形態である番組選択装置１は、テレビジョン受信装置２，３毎に、利用者の特性を分析する、即ち番組嗜好度を算出するので、特に、テレビジョン受信装置２，３の利用者が異なる場合に、より精度よく利用者の特性に適合した放送番組を選択することができる。
【０１１４】
なお、上述した実施形態を、コンピュータにインストールした番組選択プログラムを実行させることにより実現することもできる。すなわち、この番組選択プログラムは、例えば、番組選択プログラムが記憶された記録媒体から読み出され、機器制御部１２で実行されることにより番組選択装置１を構成するようにしてもよいし、通信ネットワークを介して伝送されてインストールされ、機器制御部１２で実行されることにより番組選択装置１を構成するようにしてもよい。
【図面の簡単な説明】
【０１１５】
【図１】本実施形態である番組選択装置の構成を示した構成図である。
【図２】本実施形態である番組選択装置を備えた番組選択支援システムの構成を示した構成図である。
【図３】本実施形態である番組選択装置にネットワークを介して接続されたテレビジョン受信装置２の構成を示した構成図である。
【図４】本実施形態である番組選択装置において、予め定められた時間間隔で定期的に動作している嗜好分析処理のうちの１周期分の主要な処理を示したフローチャートである。
【図５】本実施形態である番組選択装置における番組選択処理の処理フローを示したフローチャートである。
【図６】本実施形態である番組選択装置にネットワークを介して接続されたテレビジョン受信装置の出力部に表示された録画番組リスト表示画面の一例を示した図である。
【符号の説明】
【０１１６】
１…番組選択装置
２，３…テレビジョン受信装置
４…ネットワーク
１１…放送受信部
１２…機器制御部
１２ａ…録画予約制御手段
１２ｂ…番組選択手段
１２ｃ…映像音声信号送信手段
１２ｄ…ネットワークアドレス管理手段
１３…映像音声信号記録部
１４…録画予約情報記憶部
１５…番組情報記憶部
１６…番組嗜好情報記憶部
１７…嗜好分析部
１７ａ…番組嗜好情報生成手段
１７ｂ…録画予約情報生成手段
１８…出力部
１９…入力部
２０…装置情報記憶部
２１…ネットワーク接続部
３１…放送受信部
３２…機器制御部
３２ａ…録画リスト制御手段
３２ｂ…コンテンツ制御手段
３２ｃ…視聴履歴制御手段
３２ｄ…録画予約情報送信手段
３３…視聴履歴情報記憶部
３４…番組情報記憶部
３６…出力部
３７…入力部
３７…出力部
３８…ネットワーク接続部
【図１】
2009212814.tif 000007
【図２】
2009212814.tif 000008
【図３】
2009212814.tif 000009
【図４】
2009212814.tif 000010
【図５】
2009212814.tif 000011
【図６】
2009212814.tif 000012